(57)【要約】【課題】  各記録層間でのミラー効果による信号特性の劣化を防止する多層記録媒体を提供する。【解決手段】  少なくとも一層以上の記録層を具備した多層記録媒体において、記録層間に備わった間隔層のうち、少なくともいずれか１層の間隔層の厚さを他の間隔層と異なるように形成し、いずれか１層の記録層にフォーカスされるビームが他の記録層で反射され、さらに他の記録層にフォーカスされないようにすることを特徴とする多層記録媒体である。これにより、多層記録媒体で、各記録層間のミラー効果を相当部分除去でき、ミラー効果に最も大きい影響を及ぼす間隔層だけの厚さを変更することにより、ミラー効果による信号品質の劣化を防止し、多層記録媒体の構造を単純化できる。【選択図】      図１４
2006252752.tif 000002
【特許請求の範囲】
【請求項１】
少なくとも一層以上の記録層を具備した多層記録媒体において、
前記記録層間に備わった間隔層のうち、少なくともいずれか１層の間隔層の厚さを他の間隔層と異なるように形成し、いずれか１層の記録層にフォーカスされるビームが他の記録層で反射され、さらに他の記録層にフォーカスされないようにすることを特徴とする多層記録媒体。
【請求項２】
前記異なる厚さを有する間隔層の厚さをＤとし、残りの間隔層の厚さをＤ０とすれば、前記ＤとＤ０との厚さの差は、次の式を満足することを特徴とする請求項１に記載の多層記録媒体：
【数１】
2006252752.tif 000019
ここで、δは、製造過程上で発生しうる間隔層厚の誤差許容値である。
【請求項３】
前記記録媒体の記録層ｉと記録層ｉ−１との間の間隔層の厚さをＤｉとしたとき、前記間隔層の厚さは、次の式を満足することを特徴とする請求項１に記載の多層記録媒体：
【数２】
2006252752.tif 000020
ここで、Ｎは、前記記録層の数、Ｋは、前記記録層の一連番号（Ｋ＝０，１，２，…，Ｎ−３）、Ｌは、記録層Ｋの上端に位置し、入射されるビームが反射される記録層の一連番号（Ｌ＝Ｋ＋１，Ｋ＋２，…，Ｎ−２）、Ｑは、入射されるビームが反射される記録層の上端に位置した記録層の一連番号（Ｑ＝Ｌ＋１，Ｌ＋２，…，Ｎ−１）である。
【請求項４】
前記異なる厚さを有する間隔層は、ビームが入射される方向から二番目に遠く離れた間隔層であることを特徴とする請求項１に記載の多層記録媒体。
【請求項５】
前記異なる厚さを有する間隔層は、ミラー効果に及ぼす影響を所定大きさ以上にする間隔層であることを特徴とする請求項１に記載の多層記録媒体。
【請求項６】
前記ミラー効果に及ぼす影響は、次の式で表現される前記ビームがフォーカスされる記録層で反射されるビームの強度とビームが反射される他の記録層での反射されるビームの強度との比率であるαＫＭを利用して判断されることを特徴とする請求項５に記載の多層記録媒体：
【数３】
2006252752.tif 000021
ここで、Ｋは、入射されるビームがフォーカスされる記録層の一連番号、Ｍは、ビームが反射される記録層の一連番号、Ｒｉは、記録層ｉの反射率、Ｔｉは、記録層ｉの透過率である。
【請求項７】
前記αＫＭが所定値以下である場合、前記記録層の反射率を最大値に設定することを特徴とする請求項６に記載の多層記録媒体。
【請求項８】
前記αＫＭが所定値以上である場合、前記記録層の反射率は、ジッタ値を最小にする値に設定することを特徴とする請求項６に記載の多層記録媒体。
【請求項９】
前記所定値は、０．０２であることを特徴とする請求項７または請求項８に記載の多層記録媒体。
【請求項１０】
前記記録層の数をＮ、前記記録層の平均反射率をＲｖ、各記録層の一連番号をＫとしたとき、各記録層Ｋの反射率ＲＫは、次の式を満足するように形成されることを特徴とする請求項１に記載の多層記録媒体：
【数４】
2006252752.tif 000022
【請求項１１】
前記記録層は、次の式による最大平均反射率Ｒｖ
ｍａｘを有するように形成されることを特徴とする請求項１に記載の多層記録媒体：
【数５】
2006252752.tif 000023
ここで、Ｎは、記録層の数、Ｒｉは、各記録層の反射率であり、
【数６】
2006252752.tif 000024
である。
【請求項１２】
前記あらゆる間隔層の厚さを異なるように形成せず、前記間隔層のうち前記多層記録媒体のミラー効果に最も大きい影響を及ぼす一部間隔層の厚さだけを異なるように形成することを特徴とする請求項１に記載の多層記録媒体。
【請求項１３】
少なくとも一層以上の記録層を具備する多層記録媒体の製造方法において、
前記いずれか１層の記録層にフォーカスされるビームが他の記録層で反射され、さらに他の記録層にフォーカスされないように、前記記録層間に備わった間隔層のうち、少なくともいずれか１層の間隔層の厚さを他の間隔層と異なるように形成するステップを含むことを特徴とする多層記録媒体の製造方法。
【請求項１４】
前記異なる厚さを有する間隔層の厚さをＤとし、残りの間隔層の厚さをＤ０とすれば、前記ＤとＤ０との厚さの差は、次の式を満足することを特徴とする請求項１３に記載の多層記録媒体の製造方法：
【数７】
2006252752.tif 000025
ここで、δは、製造過程上で発生しうる間隔層厚の誤差許容値である。
【請求項１５】
前記記録媒体の記録層ｉと記録層ｉ−１との間の間隔層の厚さをＤｉとしたとき、前記間隔層の厚さは、次の式を満足することを特徴とする請求項１３に記載の多層記録媒体の製造方法：
【数８】
2006252752.tif 000026
ここで、Ｎは、前記記録層の数、Ｋは、前記記録層の一連番号（Ｋ＝０，１，２，…，Ｎ−３）、Ｌは、記録層Ｋの上端に位置し、入射されるビームが反射される記録層の一連番号（Ｌ＝Ｋ＋１，Ｋ＋２，…，Ｎ−２）、Ｑは、入射されるビームが反射される記録層の上端に位置した記録層の一連番号（Ｑ＝Ｌ＋１，Ｌ＋２，…，Ｎ−１）である。
【請求項１６】
前記異なる厚さを有する間隔層は、ビームが入射される方向から二番目に遠く離れた間隔層であることを特徴とする請求項１３に記載の多層記録媒体の製造方法。
【請求項１７】
前記異なる厚さを有する間隔層は、ミラー効果に及ぼす影響を所定大きさ以上にする間隔層であることを特徴とする請求項１３に記載の多層記録媒体の製造方法。
【請求項１８】
前記ミラー効果に及ぼす影響は、次の式で表現される前記ビームがフォーカスされる記録層で反射されるビームの強度とビームが反射される他の記録層での反射されるビームの強度との比率であるαＫＭを利用して判断されることを特徴とする請求項１７に記載の多層記録媒体の製造方法：
【数９】
2006252752.tif 000027
ここでＫは、入射されるビームがフォーカスされる記録層の一連番号、Ｍは、ビームが反射される記録層の一連番号、Ｒｉは、記録層ｉの反射率、Ｔｉは、記録層ｉの透過率である。
【請求項１９】
前記αＫＭが所定値以下である場合、前記記録層の反射率を最大値に設定するステップをさらに含むことを特徴とする請求項１８に記載の多層記録媒体の製造方法。
【請求項２０】
前記αＫＭが所定値以上である場合、前記記録層の反射率は、ジッタ値を最小にする値に設定するステップをさらに含むことを特徴とする請求項１８に記載の多層記録媒体の製造方法。
【請求項２１】
前記所定値は、０．０２であることを特徴とする請求項１９または請求項２０に記載の多層記録媒体の製造方法。
【請求項２２】
前記記録層の数をＮ、前記記録層の平均反射率をＲｖ、各記録層の一連番号をＫとしたとき、各記録層Ｋの反射率ＲＫは、次の式を満足するように形成されることを特徴とする請求項１３に記載の多層記録媒体の製造方法：
【数１０】
2006252752.tif 000028
【請求項２３】
前記記録層は、次の式による最大平均反射率Ｒｖ
ｍａｘを有するように形成されることを特徴とする請求項１３に記載の多層記録媒体の製造方法：
【数１１】
2006252752.tif 000029
ここで、Ｎは、記録層の数、Ｒｉは、各記録層の反射率であり、
【数１２】
2006252752.tif 000030
である。
【請求項２４】
少なくとも一層以上の記録層及び間隔層を具備した多層記録媒体の製造方法において、
ミラー効果を除去するための間隔層の厚さを設定するステップと、
他の間隔層と異なる厚さを有する間隔層を隣接した記録層間に形成するステップと、
ミラー効果が除去されているか否かを判断するステップと、
前記判断結果、ミラー効果が除去されているという場合、各記録層の反射率を最大平均反射率に設定するステップを含むことを特徴とする多層記録媒体の製造方法。
【請求項２５】
前記ミラー効果が除去されていない場合、前記ミラー効果が製造上のエラーに起因しているか否かを判断し、もし前記ミラー効果が製造上のエラーに起因している場合には、前記間隔層の厚さを再設定することを特徴とする請求項２４に記載の多層記録媒体の製造方法。
【請求項２６】
もし前記ミラー効果が製造上のエラーに起因したものではない場合には、ジッタ値が最小になるように各記録層の反射率を設定することを特徴とする請求項２５に記載の多層記録媒体の製造方法。
【請求項２７】
前記記録媒体の記録層ｉと記録層ｉ−１との間の間隔層の厚さをＤｉとしたとき、前記間隔層の厚さは、次の式を満足することを特徴とする請求項２５に記載の多層記録媒体の製造方法：
【数１３】
2006252752.tif 000031
ここで、Ｎは、前記記録層の数、Ｋは、前記記録層の一連番号（Ｋ＝０，１，２，…，Ｎ−３）、Ｌは、記録層Ｋの上端に位置し、入射されるビームが反射される記録層の一連番号（Ｌ＝Ｋ＋１，Ｋ＋２，…，Ｎ−２）、Ｑは、入射されるビームが反射される記録層の上端に位置した記録層の一連番号（Ｑ＝Ｌ＋１，Ｌ＋２，…，Ｎ−１）である。
【請求項２８】
前記最大平均反射率Ｒｖ  ｍａｘは、次の式によって表現されることを特徴とする請求項２４に記載の多層記録媒体の製造方法：
【数１４】
2006252752.tif 000032
ここで、Ｎは、記録層の数、Ｒｉは、各記録層の反射率であり、
【数１５】
2006252752.tif 000033
である。
【請求項２９】
複数層の記録層を具備した多層記録媒体において、
前記多層記録媒体のミラー効果は、前記複数層の記録層の反射率を所定範囲に減少させることによって減り、各記録層Ｋの反射率ＲＫは、次の式を満足することを特徴とする多層記録媒体：
【数１６】
2006252752.tif 000034
ここで、Ｎは、前記記録層の数、Ｒｖは、前記記録層の平均反射率、Ｋは、各記録層の一連番号である。
【発明の詳細な説明】
【技術分野】
【０００１】
本発明は、記録媒体に係り、さらに詳細には、多層構造の記録媒体の各記録層間で発生しうるミラー効果による信号特性の劣化を防止する多層記録媒体に関する。
【背景技術】
【０００２】
現在、単一層構造の記録媒体の保存容量を増大させるために、レーザビームを短波長化し、高開口数の対物レンズを利用して超解像近接場構造の記録媒体や、多層構造の記録媒体に関する研究が活発に進められている。かような研究の結果、青紫色レーザダイオード及び０．８５の開口数（ＮＡ）を有する対物レンズを利用して各レイヤごと２５ＧＢほどの保存容量を有する多層構造のブルーレイディスク（ＢＤ）を具現している。前記ＢＤは、２時間ほどの分量のＨＤＴＶ画質のプログラムを保存したり、または標準的な高画質ＴＶの場合、１３時間ほどの分量のプログラムを保存することができる。
【０００３】
多層記録媒体は、従来の光ピックアップを利用した読み取り及び／または書き込みにおいて、単一層の光ディスクと下位互換性を有するという点で、保存容量を増大させるのにさまざまな長所がある。かような多層記録媒体は、デュアル層ＤＶＤ−ＲＯＭディスク、ＲＯＭ／ＲＡＭディスク（上書き可能）、ＷＯ（ライトワンス）ディスク、及びＲＡＭ／ＲＡＭディスクのような多様な形態の媒体に発展した。前記多層記録媒体は、単一層の記録媒体に比べてほぼＮ倍（Ｎは、記録層の数）の保存容量を有する。
【０００４】
前記多層記録媒体構造を形成するにあたり、各間隔層（スペーサレイヤ）の厚さ及び反射率は、前記記録媒体の信号特性を決定する重要な要素である。前記間隔層は、各記録層間のクロストークを防止するために、少なくとも１０μｍ以上の厚さを有さねばならない。また、光検出器で検出される信号が所定大きさ以上になるように、各記録層の反射率がマッチングされる必要がある。また、多層記録媒体では、球面収差を補償するために、全体層の総厚さがビーム拡張器のような補償手段の補償範囲内の値でなければならない。
【０００５】
図１は、従来技術による多層記録媒体の一例を表した図である。ここで、前記多層記録媒体は、四層構造を有する追記型（ＷＯ）ディスク構造であり、データが記録／再生される層は、Ｔｅがドーピングされた酸化パラジウム層、すなわちＴｅ−Ｏ−Ｐｄ層である。
【０００６】
図１を参照するに、従来の多層記録媒体は、隣接記録層からのクロストークを減少させるために、各記録層間に２０μｍ厚の間隔層を含む。前記各記録層間の間隔層の厚さは、同一である。これにより、他の記録層で反射されたビームがフォーカスされるミラー効果によってクロストークが増加するという結果を招く。
【０００７】
同じ間隔の記録層を具備した従来の多層記録媒体を簡略に表した図２を参照しつつ、前記ミラー効果について具体的に説明すれば、次の通りである。
【０００８】
図２で、Ｗ１ないしＷ４は、各記録層間の間隔（間隔層の厚さ）であり、Ｗ１ないしＷ４の大きさは、同一である。記録層４に記録された所定のデータを再生するために、ビームを入射して記録層４にビームをフォーカスする場合を仮定する。かような場合、入射ビームは、記録層４のａ地点にフォーカスされる一方、各記録層間が同じ間隔であるということにより、記録層３で反射されたビームが記録層２のｂ地点でフォーカスされるだけではなく、記録層２で反射されたビームが記録層０のｃ地点でもフォーカスされる。これにより、前記ａ地点での信号は、ｂ地点及びｃ地点での信号によって再生信号が劣化されるというミラー効果が発生する。このように、ミラー効果とは、ある記録層のデータ再生のために、多層構造の記録媒体のいずれか一層にビームをフォーカスしたとき、反射されたビームが他の記録層でフォーカスされることをいう。以下、本明細書では、前記反射されたビームがフォーカスされる他の層を「ミラー層」と定義する。例えば、図２の場合において、記録層２及び記録層０が記録層４に対するミラー層に該当する。
【０００９】
前記ミラー効果は、再生しようとする記録層以外にも、他の記録層からも所定の信号が検出されてしまうので、信号の品質を落とし、大きいクロストークを誘発させるという問題点がある。
【００１０】
かような問題点を解決するために、特許文献１では、次のような構造を有する多層記録媒体を提案している。
【００１１】
図３Ａ及び図３Ｂは、ミラー効果を減少させるための従来の技術による多層記録媒体の構造を概略的に表した図である。
【００１２】
図３Ａ及び図３Ｂを参照するに、ミラー効果を減少させるために、図３Ａの場合には、前記入射されるビームの方向を基準に、入射ビームから遠ざかる方向に各記録層間の間隔がだんだんと減少するように構成し、図３Ｂの場合には、前記入射されるビームの方向を基準に，入射ビームから遠ざかる方向に各記録層間の間隔がだんだんと増大するように構成している。これにより、いずれか一記録層にフォーカスされるビームが他の記録層にフォーカスされないように構成することにより、ミラー効果を除去しようとする構成である。
【００１３】
前記のような構成を有する従来の多層記録媒体は、ミラー効果を完壁に除去できるが、次のような短所がある。第一に、前記多層記録媒体は、球面収差の補償を考慮していない。前述のように、球面収差を補償するために、全体多層記録媒体の厚さは、所定大きさ以下にならねばならないが、従来の多層記録媒体のように、いずれか一方向に順次増大する厚さを有する記録層形態により構成する場合、球面収差の補償範囲を外れてしまう。第二に、製造側面で、前記の通りに多様な厚さを有する従来の多層記録媒体は、製造し難しく、製造コストが上昇してしまうという問題点がある。さらに、各層の反射率を計算することが容易ではない。
【特許文献１】特開２００１−１５５３８０号公報
【発明の開示】
【発明が解決しようとする課題】
【００１４】
従って、本発明は、前記のような問題点を解決するために案出されたものであり、多層記録媒体において、ミラー効果を防止するための所定の厚さと反射率とを有する多層記録媒体及びその製造方法を提供するところに目的がある。
【００１５】
また、本発明は多層構造の大きな変更なしに、製造便宜性及び製造コストを考慮し、効率的にミラー効果を防止できる多層記録媒体及びその製造方法を提供するところに目的がある。
【課題を解決するための手段】
【００１６】
前記のような技術的課題を解決するために、本発明の多層記録媒体またはその製造方法は、少なくとも一層以上の記録層を具備した多層記録媒体において、前記記録層間に備わった間隔層のうち、少なくともいずれか１層の間隔層の厚さを他の間隔層と異なるように形成し、いずれか１層の記録層にフォーカスされるビームが他の記録層で反射され、さらに他の記録層にフォーカスされないようにすることを特徴とする。
【００１７】
前記異なる厚さを有する間隔層の厚さをＤとし、残りの間隔層の厚さをＤ０とすれば、前記ＤとＤ０との厚さの差は、次の式を満足することが望ましい：
【００１８】
【数１７】
2006252752.tif 000003
ここで、δは、製造過程上で発生しうる間隔層厚の誤差許容値である。
【００１９】
前記記録媒体の記録層ｉと記録層ｉ−１との間の間隔層の厚さをＤｉとしたとき、前記間隔層の厚さは、次の式を満足することが望ましい：
【００２０】
【数１８】
2006252752.tif 000004
ここで、Ｎは、前記記録層の数、Ｋは、前記記録層の一連番号（Ｋ＝０，１，２，…，Ｎ−３）、Ｌは、記録層Ｋの上端に位置し、入射されるビームが反射される記録層の一連番号（Ｌ＝Ｋ＋１，Ｋ＋２，…，Ｎ−２）、Ｑは、入射されるビームが反射される記録層の上端に位置した記録層の一連番号（Ｑ＝Ｌ＋１，Ｌ＋２，…，Ｎ−１）である。
【００２１】
前記異なる厚さを有する間隔層は、ビームが入射される方向から二番目に遠く離れた間隔層であることが望ましい。
【００２２】
前記異なる厚さを有する間隔層は、ミラー効果に及ぼす影響を所定大きさ以上にする間隔層であることが望ましい。
【００２３】
ここで、前記ミラー効果に及ぼす影響は、次の式で表現される前記ビームがフォーカスされる記録層で反射されるビームの強度とビームが反射される他の記録層での反射されるビームの強度との比率であるαＫＭを利用して判断されることが望ましい：
【００２４】
【数１９】
2006252752.tif 000005
ここでＫは、入射されるビームがフォーカスされる記録層の一連番号、Ｍは、ビームが反射される記録層の一連番号、Ｒｉは、記録層ｉの反射率、Ｔｉは、記録層ｉの透過率である。
【００２５】
前記αＫＭが所定値以下である場合、前記記録層の反射率を最大値に設定し、前記αＫＭが所定値以上である場合、前記記録層の反射率は、ジッタ値を最小にする値に設定することが望ましい。前記所定値は、０．０２にすることができる。
【００２６】
一方、前記記録層の数をＮ、前記記録層の平均反射率をＲｖ、各記録層の一連番号をＫとしたとき、各記録層Ｋの反射率ＲＫは、次の式を満足するように形成されることが望ましい：
【００２７】
【数２０】
2006252752.tif 000006
また、前記記録層は、次の式による最大平均反射率Ｒｖ  ｍａｘを有するように形成されることが望ましい：
【００２８】
【数２１】
2006252752.tif 000007
ここで、Ｎは、記録層の数、Ｒｉは、各記録層の反射率であり、
【００２９】
【数２２】
2006252752.tif 000008
である。
【発明の効果】
【００３０】
本発明によれば、多層記録媒体で各記録層間のミラー効果を相当部分除去できる。
【００３１】
また、本発明によれば、ミラー効果に最も大きい影響を及ぼす間隔層のみの厚さを変更することにより、ミラー効果による信号品質の劣化を防止し、多層記録媒体の構造を単純化できる。
【発明を実施するための最良の形態】
【００３２】
以下、添付された図面を参照しつつ、本発明の望ましい実施例について詳細に説明する。
【００３３】
多層の記録層を具備した記録媒体の製造時には、次のような事項を考慮せねばならない。
【００３４】
まず、各記録層間のクロストークを減少させねばならない。一般的に、各記録層間の間隔が１０μｍ以上である場合、記録層間のクロストークによる信号特性の劣化を防止できる。従って、本発明による記録媒体では、各記録層間の最小間隔は、少なくとも１０μｍ以上であると仮定する。
【００３５】
また、球面収差を考慮し、全体的な多層記録媒体の厚さは、所定範囲以内にならなければならない。また、ミラー効果を除去するために、各記録層間の厚さを適切に調節する必要がある。
【００３６】
また、製造時に、各記録層間の厚さの微細な差によって信号特性が劣化されうる。以上の以外にも、製造便宜性及び製造コストなどを考慮し、できる限り単純な構造の多層記録媒体を製造する必要がある。
【００３７】
従って、本発明は、かような点を考慮し、特に、複数層の記録層を具備した記録媒体において、ミラー効果を防止するのに適した各記録層間の距離、反射率を設定するところに特徴がある。
【００３８】
一方、本発明による多層記録媒体において、各記録層間の間隔層は、多様な構造で設定できる。例えば、前記間隔層は、誘電体層や記録補助層のような多様な層で設定できる。本発明では、前記間隔層がいかなる構成を有するかということに重点をおかず、ミラー効果を防止するための前記記録層間の距離、すなわち前記間隔層の厚さ及び反射率などを設定するところに焦点を合わせる。本発明による思想は、多様な構造の多層記録媒体に適用されうるであろう。
【００３９】
本発明による多層記録媒体について説明する前に、多層構造の記録媒体において、各記録層のミラー効果及び信号特性について述べた後、本発明による多層構造の記録媒体について説明する。
【００４０】
図４は、多層記録媒体の概略的な構成を表した図である。
【００４１】
多層構造の記録媒体は、総Ｎ層の記録層を具備していると仮定する。ここで、前記Ｎ層の記録層間には、記録媒体の記録／再生方式によって記録／再生するための誘電体層や補助層のような多様な層が含まれうる。
【００４２】
本明細書で使われる用語の定義は次の通りである。
【００４３】
記録層間の層を総称して間隔層と定義する。前述のように、本発明の一側面によれば、前記間隔層の厚さ、すなわち前記記録層間の距離を適切に設定してミラー効果を除去することを特徴とする。
【００４４】
また、記録及び／または再生のためのレーザビームが照射される方向から最も遠い側の記録層から０からＮ−１の整数を付与し、最も遠い側の記録層を記録層０、最も近い方向の記録層を記録層Ｎ−１のように定義する。また、Ｒｉは、記録層ｉの反射率、Ｔｉは、記録層ｉの透過率である定義する。また、Ｄｉは、記録層ｉと記録層ｉ−１との間の間隔層の厚さ、すなわち、記録層ｉと記録層ｉ−１との間の距離と定義される。
【００４５】
ミラー効果は、再生しようとするデータが記録され、入射ビームがフォーカスされる記録層（以下、「再生層」とする）とミラー層とが対称的な構造を有する場合に発生する。言い換えれば、再生層に入射されたビームが他の記録層によって反射されてミラー層にフォーカスされる場合にクロストークが発生する。
【００４６】
図５は、多層構造の記録媒体でミラー効果を防止するための条件を説明するための図である。図５を参照するに、任意の記録層Ｋのデータを再生する場合、ミラー効果を防止するためには、各記録層間の厚さは、次の式（１）の条件を満足せねばならない：
【００４７】
【数２３】
2006252752.tif 000009
ここで、Ｋは、各記録層の一連番号であり、０，１，２，…，Ｎ−３である。ＫがＮ−２、Ｎ−１である場合、すなわち、多層記録媒体の記録層のうち、最も上位の二層に該当する場合には、ミラー効果が発生しないので、Ｋの値からＮ−２，Ｎ−１は除外される。また、Ｌは、記録層Ｋの上端に位置する記録層の一連番号であり、入射されるビームが反射される任意の記録層を指し（Ｌ＝Ｋ＋１，Ｋ＋２，…，Ｎ−２）、Ｑは、入射されるビームが反射される記録層の上端に位置した任意の記録層を指す（Ｑ＝Ｌ＋１，Ｌ＋２，…，Ｎ−１）。
【００４８】
例えば、図５で、Ｌ＝Ｋ＋２、すなわち、記録層Ｋ＋２で反射されるビームによるミラー効果を防止するためには、記録層Ｋから記録層Ｋ＋２までの各間隔層の厚さの合計ｄＦであるｄＫ＋１＋ｄＫ＋２の値が、前記記録層Ｋ＋２からその上端の任意の記録層Ｑまでの距離の和ｄＭとは異なる値を有さねばならない。
【００４９】
言い換えれば、前記式（１）は、記録層Ｋのデータを再生しようとする場合、前記記録層Ｋの上端に位置した記録層のうち、入射されるビームが反射される層を基準に、反射層から記録層Ｋまでの厚さの和（式（１）の左辺）が前記反射層上層の任意の記録層までの厚さの和（式（１）の右辺）とは、異ならなければならないということを意味する。
【００５０】
一方、ミラー層と実際にデータの再生のためにビームがフォーカスされる再生層とで反射されるビームの強度には違いがある。前記再生層での反射されるビームの強度とミラー層での反射されるビームの強度との比率をαＫＭとすれば、前記αＫＭは、ミラー効果によってどれほどのクロストークが発生するかを定量的に示す。ミラー層に該当する記録層Ｍでの反射ビームの強度と任意の再生層である記録層Ｋからの反射ビームの強度との比率αＫＭは、次の式（２）のように表現されうる。
【００５１】
【数２４】
2006252752.tif 000010
ここで、Ｋは、実際に入射されるビームがフォーカスされる再生層を指し（Ｋ＝０，１，…，Ｎ−３）、Ｍは、ミラー層を指す一連番号を意味する。
【００５２】
前記式（２）は、次のような過程を介して得られる。
【００５３】
図６は、多層記録媒体で、再生層Ｋとミラー層Ｍとで反射されるビームの強度比率αＫＭを計算する過程を説明するための図である。図６を参照し、最も簡単な場合として、３層の記録層を有する多層記録媒体の場合、再生層（記録層Ｌ０）で反射されるビームＩ０とミラー層（記録層Ｌ２）で反射されるビームＩ１との強度比率を求める過程を説明する。
【００５４】
入射されるビームの強度をＩとしたとき、記録層Ｌ０のデータを再生しようと前記記録層Ｌ０にフォーカスされて反射されるビームＩ０の強度は、Ｉ×Ｔ１×Ｒ０×Ｔ１である。また、前記記録層Ｌ０の最初のミラー層に該当するＬ２及びＬ１で反射されて出力されるミラー効果によるビームＩ１の強度はＩ×Ｒ１×Ｒ２×Ｒ１である。従って、再生層である記録層Ｌ０で反射されるビームと、ミラー層であるＬ２で反射されるビームとの強度の比率（Ｉ１／Ｉ０）は、
【００５５】
【数２５】
2006252752.tif 000011
の通りである。
【００５６】
このように、再生層Ｋとミラー層Ｍとによって反射されるビーム強度の比率は、前記再生層とミラー層の反射率及び透過率を利用して表現されうる。同様に、任意の再生層Ｋとミラー層Ｍとで反射されるビームの強度比率を計算してみれば、前記式（２）のようであるということを類推することができる。
【００５７】
図７は、４層の記録層を有する多層記録媒体において、反射率とミラー効果による強度比率とを表したグラフである。図７を参照するに、ミラー層で反射されたビームの強度比率は、反射率の上昇と共に増大するということを確認することができる。特に、入射されるビームから最も遠く離れた最下側の記録層０の場合が記録層１に比べてさらに大きいミラー効果を有するということを確認することができる。従って、各記録層の反射率を低下させることは、各記録層間のクロストークによる信号特性の劣化、すなわちミラー効果を減少させる方法のうちの一つであることが分かる。しかし、反射率をむやみに減少させることは、再生信号のＣ／Ｎ（キャリア／ノイズ比）を低下させるので一定の限界がある。
【００５８】
一方、前記図７で、四層構造の記録媒体の場合、最下端に位置した記録層０と記録層１だけがそれぞれ１層のミラー層を有し、他の記録層２と記録層３の再生時には、ミラー効果による影響がないので、図示していない。
【００５９】
図８は、８層の記録層を有する多層記録媒体の場合のおける反射率とミラー効果による強度比率との関係を表したグラフである。
【００６０】
８層の記録層を有する場合には、あらゆる記録層がミラー層を有するのではなく、最下端から６層の記録層のみミラー層を有する。その場合、最下単の記録層０及び記録層１は、それぞれ３層のミラー層を、記録層２及び記録層３は、それぞれ２層のミラー層を、記録層４及び記録層５は、それぞれ１層のミラー層を有する。八層構造の記録媒体で、複数層のミラー層を説明するための図９を参照するに、記録層０に記録されたデータの再生のために記録層０にビームをフォーカスした場合、記録層２、記録層４及び記録層６にも反射ビームがフォーカスされうる。従って、その場合、記録層０に対して記録層２、記録層４及び記録層６の総３層のミラー層が存在する。言い換えれば、記録層０に記録されたデータの再生時に、前記３層のミラー層によるミラー効果が存在する。ここで、複数層のミラー層を有する記録層については、前記記録層から最も近いミラー層を第１ミラー層、その次に近いミラー層を第２ミラー層のように表現する。
【００６１】
再び図８を参照するに、８層の記録層を有する多層記録媒体の場合にも、反射率が上昇することにより、各ミラー層によって反射されるビームの強度比率が順次上昇するということを確認することができる。
【００６２】
また、各ミラー層による強度比率の差が大きいので、各ミラー層が全体的なミラー効果に及ぼす影響に差があるということが分かる。前記のような多層記録媒体において、ミラー効果を除去するためには、ミラー効果を起こすミラー層のうち、所定大きさ以上のミラー効果を起こすミラー層の影響を除去することが効率的である。ほとんど無視できるレベルであるにもかかわらず、あらゆるミラー層の影響を除去するのは、非効率的である。
【００６３】
例えば、図８で、最も大きいミラー効果を発生させる記録層０の第１ミラー層や、記録層１の第１ミラー層によるミラー効果を除去するならば、全体のミラー効果を顕著に減少させることができる。
【００６４】
図１０Ａ及び図１０Ｂは、四層構造の記録媒体において、記録層０及び記録層１のミラー層によるミラー効果と反射率との関係を表したグラフである。ここで、グラフのｙ軸は、ジッタ値であり、前記ジッタ値は、ミラー効果が大きくなるほど増大するので、ミラー効果の影響を表している。
【００６５】
図１０Ａ及び図１０Ｂを参照するに、記録層０のミラー層によるミラー効果及び記録層１のミラー層によるミラー効果は、反射率の上昇と共に増大する。しかし、記録層１のミラー層によるミラー効果は、記録層０のミラー層によるミラー効果に比べて大きくないということを確認することができる。
【００６６】
図１１Ａないし図１１Ｃは、八層構造の記録媒体において、記録層０及び記録層１のミラー層によるミラー効果と反射率との関係を表したグラフである。具体的には、図１１Ａは、記録層０の第１ミラー層によるミラー効果と反射率との関係、図１１Ｂは、記録層１の第１ミラー層によるミラー効果と反射率との関係、図１１Ｃは、記録層０の第２ミラー層によるミラー効果と反射率との関係を表したグラフである。
【００６７】
図１１Ａないし図１１Ｃを参照するに、八層構造の記録媒体において、たとえ各記録層に対して多様なミラー層が存在するとしても、あらゆるミラー層がミラー効果に大きい影響を及ぼすというのではなく、一部のミラー層だけが大きい影響を及ぼすということを確認することができる。言い換えれば、図１１Ａを参照するに、記録層０の第１ミラー層によるミラー効果は、反射率の上昇と共に大きく増加するが、記録層１の第１ミラー層によるミラー効果（図１１Ｂ）や前記記録層０の高次のミラー層によるミラー効果（図１１Ｃ）は、前記図１１Ａに比べてそれほど大きくないということが分かる。
【００６８】
従って、多層記録媒体で、各記録層に対して多様なミラー層が存在しうるが、一部のミラー層を除いては、他のミラー層による影響は、無視できる程度に小さい。例えば、前記記録層０の第２ミラー層による強度比率は、０．０１ほどと非常に小さい。従って、本発明による多層記録媒体は、前記のような事実を利用し、ミラー効果に大きい影響を及ぼすミラー層によるミラー効果を除去するところに重点をおき、多層記録媒体の構成を単純化する。ここで、前記強度比率が０．０２より大きいミラー層によるミラー効果を除去することが望ましい。
【００６９】
一方、多層記録媒体において、ビームが記録媒体の上層から入射されるとすれば、前記記録媒体の下側に位置した記録層の反射率が上層に位置した記録層の反射率よりさらに大きくなければならない。これは、下側に位置した記録層に入射されるビームがさらに長い進路を有するので、光ピックアップなどで均一な信号特性を表すためには、ビームの進行中に発生しうる光損失を補償しなければならないためである。従って、最下側に位置した記録層の反射率が最も大きく、前述したように、反射率とミラー効果は、比例関係にあるので、結局、最下側に位置した記録層によるミラー効果が信号特性に最も大きい影響を及ぼすということになる。
【００７０】
以上を整理すれば、多層記録媒体において、ミラー効果による信号特性の劣化を防止するために、最下側に位置した記録層の第１ミラー層によるミラー効果を除去するならば、信号特性を改善できるというのである。
【００７１】
一方、多層記録媒体において、各記録層にフォーカスされるビームは、同じ平均反射率Ｒｖを有さねばならない。すなわち、任意の記録層でフォーカスされた後、光ピックアップで検出されるビームは、同じ大きさの強度を有することが要求される。これは、どの記録層にあるデータを再生するにせよ、均一な信号特性を確保するためである。任意の記録層Ｋでの反射率ＲＫは、次の式（３）を介して計算できる。
【００７２】
【数２６】
2006252752.tif 000012
ここで、最上側に位置した記録層Ｎ−１の反射率ＲＮ−１は、Ｒｖと同じである。
【００７３】
次の表１は、４層の記録側を有する多層記録媒体において、光損失のない場合に各記録層の反射率Ｒと透過率Ｔとを計算した表である。
【００７４】
【表１】
2006252752.tif 000013
前記表１では、それぞれ平均反射率を５％、１０％、１５％に設定した場合、各記録層の反射率及び透過率を表しており、理論的な最大（ＭＡＸ）平均反射率は、１６．９０％である。もし、多層記録媒体で、光損失の発生する場合ならば、前記最大平均反射率に比べてさらに小さな平均反射率を表すであろう。
【００７５】
次の表２は、８層の記録側を有する多層記録媒体において、光損失のない場合における各記録層の反射率Ｒと透過率Ｔとを計算した表である。
【００７６】
【表２】
2006252752.tif 000014
前記表２では、多層記録媒体の平均反射率をそれぞれ３％、４％、５％、６％に設定した場合、各記録層での反射率と透過率の計算値を表す一方、光損失のない場合の最大反射率を表している。８層の記録層を有する多層記録媒体で、光損失のない場合、得ることができる最大平均反射率は、７．２０％である。光損失が存在するならば、前記最大平均反射率の値はさらに減少するであろう。
【００７７】
前述のように、多層記録媒体において、反射率を低下させることにより、ミラー効果を減少させることができる。しかし、反射率の低下は、ノイズによって再生信号のＣ／Ｎを下げるようになり、再生信号の特性が悪くなることがある。ノイズの存在時に、反射率を上昇させることにより、ある程度ジッタ特性を改善することはできるが、他方、反射率の上昇は、ミラー効果を増大させ、ジッタ特性の改善には限界がある。
【００７８】
従って、ノイズ及びミラー効果を考慮し、相対的に小さなジッタ値を得ることができるように、適切な範囲の反射率を選択する。
【００７９】
図１２は、本発明による多層記録媒体で、ノイズとミラー効果の存在時に、反射率による再生信号のジッタ特性を表したグラフである。図１２を参照するに、最も大きいミラー効果を表す記録層０での反射率が４．５０％である時、最も小さなジッタ値を有するということを確認することができる。従って、最下層である記録層０の反射率は、ジッタ値がほぼ６％以下の値を有する４．３〜４．７％の範囲内で選択する。それにより、前記式（３）から他の記録層の反射率を計算できる。
【００８０】
以上で述べた内容を整理すれば、多層記録媒体でミラー効果を防止するために、各記録層間の距離、すなわち間隔層の厚さを前記式（１）のような条件を満足するように設定することにより、ミラー効果を除去できる。しかし、あらゆる間隔層の厚さを前記の通りに設定するのは、製造過程を困難にし、かつ製造コストを上昇させてしまうことがある。ミラー効果に最も大きい影響を及ぼす層は、一部のミラー層であるから、あらゆるミラー層によるミラー効果を除去するのではなく、最も大きい影響を及ぼすミラー層のミラー効果だけを除去することにより、製造過程を容易にし、かつ満足できるほどの再生信号特性を得ることができる。
【００８１】
図１３は、本発明による多層記録媒体の製造方法を表したフローチャートである。本発明による多層記録媒体の製造方法は、間隔層の厚さを調節し、ミラー効果に最も大きい影響を及ぼすミラー層（以下、「主ミラー層」とする）によるミラー効果を除去できる場合ならば、各記録層の反射率を最大に設定することにより、高いＣ／Ｎ値を得るようにする。主ミラー層の効果を除去できない場合ならば、ミラー効果を減少させるために、反射率を低下させなければならないが、前述したように、反射率を低下させれば、Ｃ／Ｎ値が低くなるので、適切な範囲、すなわちジッタ値が最小になる反射率を選択することが望ましい。
【００８２】
まず、多層記録媒体の間隔層の厚さを適切に設定してミラー効果を除去する（ステップ１００）。特に、いくつかの記録層のうち、ミラー効果に最も大きい影響を及ぼす最下側の記録層によるミラー層が生じないように、適切に間隔層の厚さを設定する。望ましくは、前記式（１）の条件を満足するように、間隔層の厚さを設定する。しかし、あらゆる間隔層が前記式（１）の条件を満足するというのではなくとも、少なくとも前記最下側の記録層に対するミラー層を発生させないことにより、信号特性を相当に改善できる。
【００８３】
このように、一部の間隔層だけの厚さを他の間隔層と異なるように設定することにより、ミラー効果に及ぼす影響を減少させようとする場合、ミラー効果に最も大きい影響を及ぼす間隔層の厚さをＤとし、残りの間隔層の厚さをＤ０とすれば、前記ＤとＤ０との厚さの差は、次のような式（４）の条件を満足することが望ましい。
【００８４】
【数２７】
2006252752.tif 000015
ここで、δは、製造過程上で発生しうる間隔層厚の誤差許容値を意味する。かような場合、前記ミラー効果に最も大きい影響を及ぼす間隔層を除外した残りの間隔層の厚さは、Ｄ０±δの範囲内で選択されうる。
【００８５】
前記ステップ１００によって設定された間隔層の厚さで主ミラー層の効果が除去されているか否かを判断する（ステップ１１０）。適切に間隔層の厚さを設定する場合にも、製造誤差によって間隔層厚が意図されたところとは異なって形成されうるので、これを考慮せねばならない。すなわち、単純に製造上のエラーによって主ミラー層の効果が除去できない場合には、再び間隔層の厚さを設定し、ミラー効果を除去する（ステップ１２０）。しかし、製造時に設定した通り間隔層の厚さを設定したが、主ミラー層によるミラー効果を完壁に除去できないという場合には、反射率を適切に設定せねばならない（ステップ１４０）。ここで、反射率は、ジッタ値を最小にする所定の反射率を選択することが望ましい。
【００８６】
ステップ１１０で、主ミラー層の効果が除去されたと判断された場合には、高いＣ／Ｎを得ることができるように、各記録層ができる限り最大の平均反射率を有するように設定する（ステップ１３０）。最大平均反射率は、次の式（５）で表現される。
【００８７】
【数２８】
2006252752.tif 000016
ここで、Ｎは、記録層の数を意味し、Ｒｉは、各記録層の反射率であり、次の式（６）を介して計算されうる。
【００８８】
【数２９】
2006252752.tif 000017
前記説明において、各間隔層の厚さと共に、前記反射率を調整してミラー効果を減少させる場合を中心に説明したが、間隔層の厚さに関係なく、前記式（３）、式（５）及び式（６）を満足するように、各記録層の反射率を設定することにより、従来に比べてミラー効果を減少させることも可能である。
【００８９】
図１４は、本発明による多層記録媒体の一例を表した図である。図１４で、８層の記録層を有する多層記録媒体を図示しているが、前記記録層の数に制限されるものではなく、８層より多かったり、または少なかったりする記録層を有する多層記録媒体にも、本発明による思想が適用可能であるということは、いうまでもない。前記図１４に図示された本発明による多層記録媒体では、ミラー効果を除去するために、記録層１と記録層２との間の間隔、すなわち、Ｄ２だけ１４μｍであるという異なる値を有し、残りの間隔層は、１０μｍと同じ厚さの間隔層を有する場合を図示している。
【００９０】
前記の通りに１層の間隔層だけの厚さを変更する場合にも、ミラー効果に最も大きい影響を及ぼす記録層０と記録層１のミラー層が形成されることを防止できる。前述のように、残りの記録層２ないし規則層７によるミラー効果は、無視できる程度にその影響が小さい。すなわち、入射されるビームの方向を基準に、二番目に遠く離れた間隔層の厚さを他の間隔層と異なるように設定することにより、下側に位置した記録層０と記録層１のデータ再生時に発生しうるミラー効果の影響を減少させることができる。
【００９１】
また、前述したように、一部の間隔層の厚さだけを異なるように設定する場合には、前記式（４）の条件を満足するように、ミラー効果に最も大きい影響を及ぼす間隔層の厚さを他の間隔層と異なるように形成する。
【００９２】
本発明によれば、多層記録媒体の各間隔層の厚さをいずれも異なるように設定し、あらゆるミラー効果を除去せずとも、ミラー効果に最も大きい影響を及ぼす一部の間隔層だけの厚さだけを再設定することにより、ミラー効果を相当除去できる。ここで、強度比率が０．０２以上であるミラー層についてのみミラー効果を除去するようにすることが望ましい。
【００９３】
表３は、前記の通りに、一部の間隔層だけが異なる厚さを有する場合のジッタ値と、ミラー効果のない理想的な場合のジッタ値とを比較した表である。
【００９４】
【表３】
2006252752.tif 000018
表３を参照するに、前記図１４の本発明による多層記録媒体のように、一部の間隔層だけの厚さを変更した場合、ミラー効果のない理想的な場合と非常に類似した小さなジッタ値を有するということを確認することができる。一方、前記多層記録媒体で、間隔層の透過率を９７％ほどとするならば、５．８％ほどの最大反射率を得ることができる。
【００９５】
図１５は、本発明による多層記録媒体と従来技術による多層記録媒体とを比較したグラフである。図１５では、８層の記録層を有する多層記録媒体で、ミラー効果の最も大きい記録層０及び記録層１でのジッタ値を比較した。
【００９６】
図１５を参照するに、本発明による多層記録媒体は、ミラー効果に最も大きい影響を及ぼす記録層０及び記録層１に対するミラー層が生成されることを防止してミラー効果を減少させ、それにより、ジッタ値が低下するということを確認することができる。
【００９７】
従って、本発明による多層記録媒体は、従来の多層記録媒体の構造を大きく変更せずに、一部の間隔層だけの厚さを変更して信号特性を大きく向上させることができる。
【００９８】
前述のように、製造時のエラーにより前記ミラー効果に最も大きい影響を及ぼす間隔層を異なる厚さに設定できず、あらゆる間隔層が同一に設定される場合にも、ジッタ値が最小になる所定の範囲の値に反射率を下げ、ミラー効果を減少させることができる。例えば、８層の記録媒体において、記録層０及び記録層１の反射率を４．３〜４。７％に設定するならば、ミラー効果を減少させることができる。他の記録層の反射率は、前記式（３）を介して計算できる。
【００９９】
以上、本発明についてその望ましい実施例を中心に説明した。本発明が属する技術分野で当業者は、本発明が本発明の本質的な特性から外れない範囲で変形された形態に具現できるということを理解できるであろう。従って、開示された実施例は、限定的な観点ではなく、説明的な観点で考慮されねばならないのである。本発明の範囲は、前述した説明ではなく、特許請求の範囲に示されており、それと同等な範囲内にあるあらゆる差異点は、本発明に含まれたものであると解釈されねばならない。
【産業上の利用可能性】
【０１００】
本発明の多層記録媒体及びその製造方法は、例えば、情報記録／再生関連の技術分野に効果的に適用可能である。
【図面の簡単な説明】
【０１０１】
【図１】従来技術による多層記録媒体の一例を表した図である。
【図２】同じ間隔の記録層を具備した従来の多層記録媒体を簡略に表した図である。
【図３Ａ】従来の技術によるミラー効果を減少させるための多層記録媒体の構造を概略的に表した図である。
【図３Ｂ】従来の技術によるミラー効果を減少させるための多層記録媒体の構造を概略的に表した図である。
【図４】多層記録媒体の概略的な構成を表した図である。
【図５】多層構造の記録媒体で、ミラー効果を防止するための条件を説明するための図である。
【図６】多層記録媒体で、再生層Ｋとミラー層Ｍとで反射されるビームの強度比率αＫＭを計算する過程を説明するための図である。
【図７】４層の記録層を有する多層記録媒体において、反射率とミラー効果による強度比率とを表したグラフである。
【図８】８層の記録層を有する多層記録媒体の場合、反射率とミラー効果による強度比率との関係を表したグラフである。
【図９】八層構造の記録媒体で、複数層のミラー層を説明するための図である。
【図１０Ａ】四層構造の記録媒体において、記録層０のミラー層によるミラー効果と反射率との関係を表したグラフである。
【図１０Ｂ】四層構造の記録媒体において、記録層１のミラー層によるミラー効果と反射率との関係を表したグラフである。
【図１１Ａ】八層構造の記録媒体において、記録層０のミラー層によるミラー効果と反射率との関係を表したグラフである。
【図１１Ｂ】八層構造の記録媒体において、記録層１のミラー層によるミラー効果と反射率との関係を表したグラフである。
【図１１Ｃ】八層構造の記録媒体において、記録層０の他のミラー層によるミラー効果と反射率との関係を表したグラフである。
【図１２】多層記録媒体で、ノイズとミラー効果の存在時に、反射率による再生信号のジッタ特性を表したグラフである。
【図１３】本発明による多層記録媒体の製造方法を表したフローチャートである。
【図１４】本発明による多層記録媒体の一例を表した図である。
【図１５】本発明による多層記録媒体と従来技術による多層記録媒体とを比較したグラフである。
【符号の説明】
【０１０２】
Ｋ    再生層
Ｍ    ミラー層
Ｉ０    再生層で反射されるビーム
Ｉ１    ミラー層で反射されるビーム
【図１】
2006252752.tif 000035
【図２】
2006252752.tif 000036
【図３Ａ】
2006252752.tif 000037
【図３Ｂ】
2006252752.tif 000038
【図４】
2006252752.tif 000039
【図５】
2006252752.tif 000040
【図６】
2006252752.tif 000041
【図７】
2006252752.tif 000042
【図８】
2006252752.tif 000043
【図９】
2006252752.tif 000044
【図１０Ａ】
2006252752.tif 000045
【図１０Ｂ】
2006252752.tif 000046
【図１１Ａ】
2006252752.tif 000047
【図１１Ｂ】
2006252752.tif 000048
【図１１Ｃ】
2006252752.tif 000049
【図１２】
2006252752.tif 000050
【図１３】
2006252752.tif 000051
【図１４】
2006252752.tif 000052
【図１５】
2006252752.tif 000053